【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
放送信号を受信する手段と、
受信した放送信号に含まれる放送コンテンツを再生する手段と、
ユーザ特定情報と、上記放送信号の放送チャネル識別子とを含む関係付け要求であって、上記ユーザ特定情報により特定されるユーザアカウントに、上記放送チャネル識別子および放送時刻情報により特定されるコンテンツを関係付けるよう要求する関係付け要求を、所定の送信宛先に送信する手段と、
ユーザ特定情報により特定されるユーザアカウントに関係付けられているコンテンツの送信を要求する手段とを有することを特徴とする情報アクセス装置。
【請求項２】
放送信号を受信する放送信号受信装置から上記放送信号の放送チャネル識別子を取得する手段と、
ユーザ特定情報と、上記放送信号受信装置から取得した上記放送信号の放送チャネル識別子とを含む関係付け要求であって、上記ユーザ特定情報により特定されるユーザアカウントに、上記放送チャネル識別子および放送時刻情報により特定されるコンテンツを関係付けるよう要求する関係付け要求を、所定の送信宛先に送信する手段と、
ユーザ特定情報により特定されるユーザアカウントに関連付けられているコンテンツの送信を要求する手段とを有することを特徴とする情報アクセス装置。
【請求項３】
放送信号を受信する放送信号受信装置から上記放送信号の放送チャネル識別子を取得する手段と、
ユーザ特定情報と、上記放送信号受信装置から取得した上記放送信号の放送チャネル識別子とを含む関係付け要求であって、上記ユーザ特定情報により特定されるユーザアカウントに、上記放送チャネル識別子および放送時刻情報により特定されるコンテンツを関係付けるよう要求する関係付け要求を、所定の送信宛先に送信するコンテンツ関連付け要求装置。
【請求項４】
上記放送信号受信装置を遠隔制御する機能を有する請求項３記載のコンテンツ関連付け要求装置。
【請求項５】
上記放送信号受信装置に通信機能を設け、上記通信機能に対して上記関連づけ要求の送信を指示する請求項４記載のコンテンツ関連付け要求装置。
【請求項６】
放送信号を送信する手段と、
上記放送信号に含まれる放送コンテンツまたは上記放送コンテンツに関連する関連コンテンツを上記放送信号の放送チャネル識別子および放送時刻情報に関連付けて記憶するコンテンツ記憶手段と、
ユーザ装置から送信されてくる関連付け要求であって、ユーザ特定情報および上記放送信号の放送チャネル識別子を含み、上記ユーザ特定情報により特定されるユーザアカウントに上記放送チャネル識別子および放送時刻情報により特定されるコンテンツを関係付けるよう要求する関係付け要求を、受信する手段と、
上記関連付け要求に基づいて上記ユーザ特定情報により特定されるユーザアカウントに上記放送チャネル識別子および放送時刻情報により特定されるコンテンツを関連付ける手段と、
ユーザ装置から送信されてくるコンテンツ送信要求に基づいて対応するユーザアカウントに関連付けられているコンテンツを、上記コンテンツ記憶手段から取り出して、上記ユーザ装置に送信する手段とを有することを特徴とする情報提供装置。
【請求項７】
上記放送時刻情報は上記ユーザ装置で管理される時刻情報である請求項６記載の情報提供装置。
【請求項８】
上記放送時刻情報は上記情報提供装置本体で管理される時刻情報である請求項７記載の情報提供装置。
【請求項９】
上記放送チャネル識別子は放送信号を選択するチューナ装置から取得される請求項８記載の情報提供装置。
【請求項１０】
放送信号に含まれる放送コンテンツまたは上記放送コンテンツに関連する関連コンテンツを、上記放送信号の放送チャネル識別子および放送時刻情報に関連付けて記憶するコンテンツ記憶手段と、
ユーザ装置から送信されてくる関連付け要求であって、ユーザ特定情報および放送チャネル識別子を含み、上記ユーザ特定情報により特定されるユーザアカウントに上記放送チャネル識別子および放送時刻情報により特定されるコンテンツを関係付けるよう要求する関係付け要求を、受信する手段と、
上記関連付け要求に基づいて上記ユーザ特定情報により特定されるユーザアカウントに上記放送チャネル識別子および放送時刻情報により特定されるコンテンツを関連付ける手段と、
ユーザ装置から送信されてくるコンテンツ送信要求に基づいて対応するユーザアカウントに関連付けられているコンテンツを、上記コンテンツ記憶手段から取り出して、上記ユーザ装置に送信する手段とを有することを特徴とする情報提供装置。
【請求項１１】
放送信号に含まれる放送コンテンツまたは上記放送コンテンツに関連する関連コンテンツを、上記放送信号の放送チャネル識別子および放送時刻情報に関連付けて記憶するコンテンツ記憶手段と、
ユーザ装置から送信されてくる関連付け要求であって、ユーザ特定情報および放送チャネル識別子を含み、上記ユーザ特定情報により特定されるユーザアカウントに上記放送チャネル識別子および放送時刻情報により特定されるコンテンツを関係付けるよう要求する関係付け要求を、受信する手段と、
上記関連付け要求に基づいて上記ユーザ特定情報により特定されるユーザアカウントに上記放送チャネル識別子および放送時刻情報により特定されるコンテンツを関連付ける手段と、
ユーザ装置の種別を判別する手段と、
ユーザ装置から送信されてくるコンテンツ送信要求に基づいて対応するユーザアカウントに関連付けられているコンテンツを、上記コンテンツ記憶手段から取り出して、上記判別した種別に応じたコンテンツフォーマットで上記ユーザ装置に送信する手段とを有することを特徴とする情報提供装置。
【請求項１２】
放送信号に含まれる放送コンテンツまたは上記放送コンテンツに関連する関連コンテンツを、上記放送信号の放送チャネル識別子および放送時刻情報に関連付けて記憶するコンテンツ記憶手段と、
ユーザ装置から送信されてくる関連付け要求であって、ユーザ特定情報および放送チャネル識別子を含み、上記ユーザ特定情報により特定されるユーザアカウントに上記放送チャネル識別子および放送時刻情報により特定されるコンテンツを関係付けるよう要求する関係付け要求を、受信する手段と、
上記関連付け要求に基づいて上記ユーザ特定情報により特定されるユーザアカウントに上記放送チャネル識別子および放送時刻情報により特定されるコンテンツを関連付ける手段と、
ユーザ装置から送信されてくるコンテンツメニュー送信要求に基づいて対応するユーザのアカウントに関連付けられている所定のコンテンツのメニューを生成して上記ユーザ装置に送信する手段と、
ユーザ装置から送信されてくる上記メニューに基づく選択指示に基づいて選択されたコンテンツを、上記コンテンツ記憶手段から取り出して、上記ユーザ装置に送信する手段とを有することを特徴とする情報提供装置。
【請求項１３】
放送信号を受信するステップと、
受信した放送信号に含まれる放送コンテンツを再生するステップと、
ユーザ特定情報と、上記放送信号の放送チャネル識別子とを含む関係付け要求であって、上記ユーザ特定情報により特定されるユーザアカウントに上記放送チャネル識別子および放送時刻情報により特定されるコンテンツを関係付けるよう要求する関係付け要求を、所定の送信宛先に送信するステップと、
ユーザ特定情報により特定されるユーザアカウントに関係付けられているコンテンツの送信を要求するステップとを有することを特徴とする情報アクセス方法。
【請求項１４】
放送信号を受信するステップと、
受信した放送信号に含まれる放送コンテンツを再生するステップと、
ユーザ特定情報と、上記放送チャネル識別子とを含む関係付け要求であって、上記ユーザ特定情報により特定されるユーザアカウントに上記放送チャネル識別子および放送時刻情報により特定されるコンテンツを関係付けるよう要求する関係付け要求を、所定の送信宛先に送信するステップと、
ユーザ特定情報により特定されるユーザアカウントに関係付けられているコンテンツの送信を要求するステップとをコンピュータに実行させるために用いるコンピュータプログラムを記録した、情報アクセス用のコンピュータ読取り可能な記録媒体。
【請求項１５】
放送コンテンツを含む放送信号を送信するステップと、
上記放送信号に含まれる放送コンテンツまたは上記放送コンテンツに関連する関連コンテンツを上記放送信号の放送チャネル識別子および放送時刻情報に関連付けて記憶するステップと、
ユーザ装置から送信されてくる関連付け要求であって、ユーザ特定情報および上記放送信号の放送チャネル識別子を含み、上記ユーザ特定情報により特定されるユーザアカウントに上記放送信号の放送チャネル識別子および放送時刻情報により特定されるコンテンツを関係付けるよう要求する関係付け要求を、受信するステップと、
ユーザ特定情報に基づいて対応するユーザアカウントに上記放送信号の放送チャネル識別子および放送時刻情報により特定されるコンテンツを関連付けるステップと、
ユーザ装置から送信されてくるコンテンツ送信要求に基づいて対応するユーザアカウントに関連付けられているコンテンツを上記ユーザ装置に送信するステップとを有することを特徴とする情報提供方法。